(57)【要約】【課題】光源の交換時における火傷等のトラブルを確実に防止し得るプロジェクタを提供する。【解決手段】ランプ３１と、ランプ３１周囲の温度を検出する温度センサ３３と、ランプ３１を冷却する冷却ファン３４と、温度センサ３３によって検出された検出温度に基づいて冷却ファン３４を制御する主制御部１８とを備え、主制御部１８は、ランプ３１の交換時に、冷却ファン３４を所定時間だけ作動させる冷却処理と、冷却処理の実行後において所定の待機時間を経過した時点で検出温度が基準温度を超えているときに冷却処理を再度実行し超えていないときに冷却処理の実行を停止するように冷却ファン３４を制御する判定処理とを検出温度が基準温度以下となるまで繰り返して実行する。【選択図】図１
2006145579.tif 000002
【特許請求の範囲】
【請求項１】
光源と、前記光源または当該光源周囲の温度を検出する温度検出部と、前記光源を冷却する冷却ファンと、前記温度検出部によって検出された検出温度に基づいて前記冷却ファンを制御する制御部とを備え、
前記制御部は、所定の指示に従い、前記冷却ファンを所定時間だけ作動させる第１処理と、当該第１処理の実行後において所定の待機時間を経過した時点で前記検出温度が基準温度を超えているときに前記第１処理を再度実行するように前記冷却ファンを制御する第２処理とを当該検出温度が当該基準温度以下となるまで繰り返して実行するプロジェクタ。
【請求項２】
前記制御部は、前記再度実行する第１処理における前記所定時間を徐々に短縮させる請求項１記載のプロジェクタ。
【請求項３】
前記制御部は、前記第２処理の実行時点における前記検出温度が前記基準温度以下のときにその旨を報知する請求項１または２記載のプロジェクタ。
【請求項４】
前記光源を交換するためのカバーと、前記カバーをロックするロック機構とを備え、
前記制御部は、前記待機時間を経過した時点における前記検出温度が前記基準温度を超えているときに前記ロック機構を制御して前記カバーをロックさせると共に、前記検出温度が前記基準温度以下のときに前記ロック機構を制御して前記カバーのロックを解除させる請求項１から３のいずれかに記載のプロジェクタ。
【請求項５】
請求項１から４のいずれかに記載のプロジェクタを備えているプロジェクションテレビ。
【発明の詳細な説明】
【技術分野】
【０００１】
本発明は、光源と光源を冷却する冷却ファンとを備えたプロジェクタ、およびそのプロジェクタを備えたプロジェクションテレビに関するものである。
【背景技術】
【０００２】
一般的に、プロジェクタの光源には、メタルハライドランプ等の高発光ランプが用いられている。この場合、この種のランプは、使用中に高温となるため、例えば、ランプ切れとなってランプ交換を行うときには、火傷等のトラブルを防止するための安全装置が必要となる。この種の安全装置として、特開平５−８８２６１号公報に開示されたランプ安全装置が知られている。このランプ安全装置は、投写用のランプの温度が所定の温度以下となったときにランプを収納している扉のロックを解除するロック機構部を備えて構成されている。
【特許文献１】特開平５−８８２６１号公報（第３頁、第１図）
【発明の開示】
【発明が解決しようとする課題】
【０００３】
ところが、従来のランプ安全装置には、以下の問題点がある。すなわち、このランプ安全装置では、ランプの温度が所定の温度以下となったときにロック機構部が扉のロックを解除している。この場合、一般的に、ランプの冷却は、冷却ファンを用いて行われる。また、ランプの温度は、ランプ近傍に配設された温度センサを用いて検出される。しかしながら、ランプの内部まで完全に温度低下するにはかなりの時間を要するため、たとえ冷却ファンの送風によって表面近傍の温度が低下したとしても、ランプ内部が依然として高温の状態となっていることがある。このため、ランプ表面の温度が低下して冷却ファンを停止した後においてしばらく時間が経過した時点で、ランプ内部の熱が表面に伝導してランプ表面が再び高温となることがある。このため、このランプ安全装置には、ロックが解除された後にランプの表面が再び高温となってランプに手等を触れたユーザが火傷を負うおそれがある。
【０００４】
本発明は、かかる問題点に鑑みてなされたものであり、光源の交換時における火傷等のトラブルを確実に防止し得るプロジェクタおよびプロジェクションテレビを提供することを主目的とする。
【課題を解決するための手段】
【０００５】
上記目的を達成すべく本発明に係るプロジェクタは、光源と、前記光源または当該光源周囲の温度を検出する温度検出部と、前記光源を冷却する冷却ファンと、前記温度検出部によって検出された検出温度に基づいて前記冷却ファンを制御する制御部とを備え、前記制御部は、所定の指示に従い、前記冷却ファンを所定時間だけ作動させる第１処理と、当該第１処理の実行後において所定の待機時間を経過した時点で前記検出温度が基準温度を超えているときに前記第１処理を再度実行するように前記冷却ファンを制御する第２処理とを当該検出温度が当該基準温度以下となるまで繰り返して実行する。
【０００６】
このプロジェクタでは、制御部が、所定の指示に従い、検出温度が基準温度以下となるまで第１処理と第２処理とを繰り返して実行する。このため、光源の内部が高温の状態であるにも拘わらず表面の温度だけが低下したときにランプの冷却を停止する従来のランプ安全装置とは異なり、内部の温度が低下するまで光源を確実に冷却することができる。したがって、光源の内部の熱が伝導して表面が再び高温となることに起因する光源の交換時における火傷等のトラブルを確実に防止することができる。
【０００７】
また、本発明に係るプロジェクタは、上記のプロジェクタにおいて、前記制御部は、前記再度実行する第１処理における前記所定時間を徐々に短縮させる。
【０００８】
このプロジェクタでは、制御部が、再度実行する第１処理における所定時間を徐々に短縮させる。このため、検出温度が基準温度以下となるまでに要する冷却時間を短縮することができる。
【０００９】
また、本発明に係るプロジェクタは、上記のプロジェクタにおいて、前記制御部は、前記第２処理の実行時点における前記検出温度が前記基準温度以下のときにその旨を報知する。
【００１０】
このプロジェクタでは、制御部が、検出温度が基準温度以下のときににその旨を報知する。このため、検出温度が基準温度となって光源の安全な交換が可能となった旨をユーザに確実に認識させることができる。
【００１１】
また、本発明に係るプロジェクタは、上記のプロジェクタにおいて、前記光源を交換するためのカバーと、前記カバーをロックするロック機構とを備え、前記制御部は、前記待機時間を経過した時点における前記検出温度が前記基準温度を超えているときに前記ロック機構を制御して前記カバーをロックさせると共に、前記検出温度が前記基準温度以下のときに前記ロック機構を制御して前記カバーのロックを解除させる。
【００１２】
このプロジェクタでは、制御部が、検出温度が基準温度を超えているときにロック機構を制御してカバーをロックさせると共に、検出温度が基準温度以下のときにロック機構を制御してカバーのロックを解除させる。このため、ユーザが高温状態の光源に接触する事態を確実に防止できるため、交換時における安全性を十分に確保することができる。
【００１３】
また、本発明に係るプロジェクションテレビは、上記のプロジェクタを備えている。
【００１４】
このプロジェクションテレビでは、上記のプロジェクタを備えている。このため、このプロジェクションテレビによれば、上記のプロジェクタが有する効果と同様の効果を実現することができる。
【発明を実施するための最良の形態】
【００１５】
以下、添付図面を参照して、本発明に係るプロジェクタおよびプロジェクションテレビの最良の形態について説明する。最初に、プロジェクションテレビ（以下、「テレビ」ともいう）１の構成について、図面を参照して説明する。図１に示すテレビ１は、本発明に係るプロジェクションテレビの一例であって、本体部２およびリモコン３を備えている。本体部２は、チューナ１１、放送信号処理部１２、プロジェクタ１３、音声出力部１４、受光部１５、インジケータ１６、主制御部１７、ミラー１８（図３参照）およびスクリーンパネル１９を備えている。この場合、図２，３に示すように、本体部２における正面パネルの下部には、後述するプロジェクタ１３のランプ３１を交換するための開口部２ａが形成されている。
【００１６】
チューナ１１は、主制御部１７の制御に従い、図１に示すように、指定されたチャンネルの放送信号Ｓｂを図外のアンテナで受信した放送波から抽出して放送信号処理部１２に出力する。放送信号処理部１２は、例えば、ＩＦ回路、音声検波回路、映像検波回路およびＡ／Ｄ変換部（いずれも図示せず）などを備えている。この場合、放送信号処理部１２は、チューナ１１から出力された放送信号Ｓｂに基づく映像データＤｐおよび音声データＤｓをプロジェクタ１３および音声出力部１４にそれぞれ出力する。
【００１７】
プロジェクタ１３は、図３に示すように、本体部２の内部に配設されて、放送信号処理部１２から出力された映像データＤｐに基づく投射光Ｌをミラー１８に向けて投射する。具体的には、プロジェクタ１３は、図１に示すように、ランプ３１、ランプ駆動部３２、温度センサ３３、冷却ファン３４、冷却ファン制御部３５、映像表示部３６、光変調素子３７、投射レンズ３８（図３参照）およびロック機構３９を備えている。この場合、図２，３に示すように、プロジェクタ１３のケース１３ａには、ランプ３１を交換するための作業用扉１３ｂ（本発明におけるカバー）が取り付けられている。ランプ３１（本発明における光源）は、例えばメタルハライドランプ等の高発光ランプで構成されて、両図に示すように、ケース１３ａの内部に脱着可能に取り付けられている。ランプ駆動部３２は、ランプ３１の発光に必要な電力を供給することによってランプ３１を駆動する（発光させる）。また、ランプ駆動部３２は、例えば、ランプ３１に流れる電流値を監視することによってランプ３１のランプ切れを検出して検出信号Ｓｄを出力する。温度センサ３３は、本発明における温度検出部に相当し、ランプ３１の近傍に配設されて、ランプ３１周囲の温度（以下、この温度を「検出温度Ｔｄ」ともいう）を検出する。冷却ファン３４は、ランプ３１の近傍に配設されて、冷却ファン制御部３５の制御に従って作動してランプ３１を冷却する。冷却ファン制御部３５は、主制御部１７の制御に従って冷却ファン制御部３５を制御する。映像表示部３６は、主制御部１７の制御に従い、放送信号処理部１２から出力された映像データＤｐに基づき、例えば、図２に示すテレビ映像Ｐｔを表示させるための表示用データＤｅを生成して光変調素子３７に出力する。光変調素子３７は、一例として、デジタルマイクロミラーデバイスや液晶ライトバルブで構成されて、ランプ３１からの光を表示用データＤｅに基づいて変調する。投射レンズ３８は、光変調素子３７によって変調された投射光Ｌを拡大する。ロック機構３９は、図３に示すように、例えば、プロジェクタ１３のケース１３ａの内側に配設されて、主制御部１７の制御に従って作業用扉１３ｂをロックする。
【００１８】
音声出力部１４は、アンプおよびスピーカ（いずれも図示せず）を備え、放送信号処理部１２から出力された音声データＤｓに基づく音声を出力する。受光部１５は、リモコン３から出力された赤外線信号Ｓｉを受光して光電変換して操作信号Ｓｏを出力する。インジケータ１６は、ランプ３１がランプ切れしたときに主制御部１７の制御に従って点灯してランプ切れを報知するＬＥＤ（Light Emitting Diode）１６ａと、後述する冷却処理の際に検出温度Ｔｄが所定の温度以下となったときに主制御部１７の制御に従って点灯するＬＥＤ１６ｂとを備えている。この場合、ＬＥＤ１６ａ，１６ｂは、図２に示すように、本体部２の正面パネルに配設されている。
【００１９】
主制御部１７は、受光部１５から出力された操作信号Ｓｏに従い、チューナ１１、放送信号処理部１２、プロジェクタ１３および音声出力部１４を制御する。また、主制御部１７は、ランプ駆動部３２から検出信号Ｓｄが出力されたときには、インジケータ１６のＬＥＤ１６ａを点灯させる。また、主制御部１７は、冷却ファン制御部３５を介して冷却ファン３４を制御する。また、主制御部１７は、ランプ３１に触れても安全な温度として設定された温度（以下、この温度を「基準温度Ｔｒ」ともいう）よりも上記した検出温度Ｔｄが高いときには、ロック機構３９を制御して作業用扉１３ｂをロックさせ、検出温度Ｔｄが基準温度Ｔｒ以下のときには、ロック機構３９を制御して作業用扉１３ｂのロックを解除させる。さらに、主制御部１７は、検出温度Ｔｄが基準温度Ｔｒ以下のときには、インジケータ１６のＬＥＤ１６ｂを点灯させる。なお、主制御部１７および上記した冷却ファン制御部３５によって本発明における制御部が構成される。ミラー１８は、図３に示すように、本体部２の内部の背面側に配設されて、プロジェクタ１３からの投射光Ｌをスクリーンパネル１９に向けて反射する。スクリーンパネル１９は、本体部２の前面側に配設されて、ミラー１８によって反射された投射光Ｌを受光して映像を表示する。
【００２０】
リモコン３は、図２に示すように、本体部２とは別体に形成されている。また、リモコン３は、電源スイッチ５１、チャンネルスイッチ５２，５２・・およびランプ交換スイッチ５３などの各種スイッチが配列されて構成され、これらのスイッチが操作されたときに、各スイッチに対応する操作信号を赤外線信号Ｓｉに変換して出力する。
【００２１】
次に、テレビ１の全体的な動作について、図面を参照して説明する。このテレビ１では、リモコン３の電源スイッチ５１が操作された際に、主制御部１７が、受光部１５からの操作信号Ｓｏに従い、プロジェクタ１３のランプ駆動部３２を制御してランプ３１に電力を供給させる。これにより、ランプ３１が発光する。この際に、主制御部１７は、プロジェクタ１３のロック機構３９を制御して作業用扉１３ｂをロックさせる。また、主制御部１７は、プロジェクタ１３の冷却ファン制御部３５を制御して冷却ファン３４を作動させる。また、主制御部１７は、チューナ１１を制御して、直前の電源切断時に選局されていたチャンネル（例えばチャンネルＣＨ３）の放送信号Ｓｂを抽出させる。次いで、チューナ１１が、主制御部１７の制御に従ってチャンネルＣＨ３の放送信号Ｓｂを放送信号処理部１２に出力する。続いて、放送信号処理部１２が、放送信号Ｓｂに基づく映像データＤｐおよび音声データＤｓをプロジェクタ１３の映像表示部３６および音声出力部１４にそれぞれ出力する。
【００２２】
次に、映像表示部３６が、映像データＤｐに基づく表示用データＤｅを生成して光変調素子３７に出力する。これに応じて、光変調素子３７がランプ３１からの光を表示用データＤｅに基づいて投射光Ｌに変調する。この際に、投射光Ｌは、投射レンズ３８によって拡大されて、図３に示すように、ミラー１８で反射されてスクリーンパネル１９に投射される。これにより、図２に示すように、チャンネルＣＨ３のテレビ映像Ｐｔがスクリーンパネル１９に表示される。また、音声出力部１４が、音声データＤｓに基づく音声を出力する。
【００２３】
次に、例えば、テレビ１の視聴を終了するとき（テレビ１の動作を停止させるとき）には、電源スイッチ５１を操作する。この際に、主制御部１７は、操作信号Ｓｏに従って終了処理を実行する。この終了処理では、主制御部１７は、チューナ１１を制御して、放送信号Ｓｂの抽出を停止させると共に、プロジェクタ１３のランプ駆動部３２を制御して、ランプ３１への電力供給を停止させる。これにより、音声の出力が停止すると共に、ランプ３１が消灯してテレビ映像Ｐｔの表示が停止する。一方、主制御部１７は、プロジェクタ１３の冷却ファン制御部３５を制御して、ランプ３１の消灯から所定時間だけ冷却ファン３４の作動を継続させてランプ３１を冷却した後に、冷却ファン３４の作動を停止させる。
【００２４】
一方、例えば、テレビ１の視聴中にランプ３１がランプ切れした際には、プロジェクタ１３のランプ駆動部３２が、ランプ切れを検出して検出信号Ｓｄを出力する。これに応じて、主制御部１７は、インジケータ１６のＬＥＤ１６ａを点灯させる。これにより、ランプ切れの発生がユーザに報知される。次に、主制御部１７は、上記の終了処理と同様にして、チューナ１１を制御して、放送信号Ｓｂの抽出を停止させると共に、プロジェクタ１３のランプ駆動部３２を制御して、ランプ３１への電力供給を停止させる。これにより、音声の出力が停止すると共に、ランプ３１が消灯してテレビ映像Ｐｔの表示が停止する。次いで、主制御部１７は、入力した検出信号Ｓｄの指示（本発明における所定の指示）に従い、プロジェクタ１３の冷却ファン制御部３５を制御して、図４に示すように、ランプ３１が消灯した時点（同図に示す時点Ａ）から所定時間Ｔｏ１だけ冷却ファン３４の作動を継続させる冷却処理（本発明における第１処理）を実行した後に、冷却ファン３４の作動を停止させる。この場合、同図に示すように、冷却ファンの送風によって検出温度Ｔｄが低下したとしても、ランプ３１の内部が高温の状態となっているため、冷却ファン３４の作動停止後にランプ３１の内部の熱が表面に伝導して検出温度Ｔｄが徐々に上昇する。
【００２５】
続いて、主制御部１７は、冷却ファン３４の作動停止の時点（図４に示す時点Ｂ）から所定の待機時間Ｔｗが経過した時点（同図に示す時点Ｃ）で、判定処理（本発明における第２処理）を実行する。この判定処理では、主制御部１７は、温度センサ３３によって検出された検出温度Ｔｄと基準温度Ｔｒとを比較する。この際に、同図に示すように、時点Ｃにおいて検出温度Ｔｄが基準温度Ｔｒを超えているときには、冷却ファン制御部３５を制御して冷却ファン３４の作動を再開（再び作動）させると共に、ロック機構３９を制御して作業用扉１３ｂのロックを継続させる。
【００２６】
次に、主制御部１７は、冷却ファン３４の作動再開時点（同図に示す時点Ｃ）から所定時間Ｔｏ２だけ冷却ファン３４の作動を継続させる冷却処理を実行した後に、冷却ファン３４の作動を停止させる。この場合、所定時間Ｔｏ２は、所定時間Ｔｏ１よりもやや短く規定されている。次いで、主制御部１７は、冷却ファン３４の作動停止の時点（同図に示す時点Ｄ）から所定の待機時間Ｔｗが経過した時点（同図に示す時点Ｅ）で判定処理を実行して、温度センサ３３によって検出された検出温度Ｔｄと基準温度Ｔｒとを比較する。この場合、ランプ３１の内部が依然として高温の状態のときには、同図に示すように、冷却ファン３４が作動を停止した時点Ｄでは検出温度Ｔｄが基準温度Ｔｒ以下であったとしても、冷却ファン３４の作動停止後にランプ３１の内部の熱によって検出温度Ｔｄは徐々に上昇して、時点Ｅでは検出温度Ｔｄが基準温度Ｔｒを超えることとなる。この際には、主制御部１７は、冷却ファン制御部３５を制御して冷却ファン３４の作動を再開させると共に、ロック機構３９を制御して作業用扉１３ｂのロックを継続させる。このため、ランプ表面の温度が所定温度以下となったときに扉のロックを解除する従来のランプ安全装置とは異なり、ランプ３１の内部の熱が伝導して表面が再び高温となることに起因するランプ３１の交換時における火傷等のトラブルが確実に防止される。
【００２７】
続いて、主制御部１７は、冷却ファン３４の作動再開時点（図４に示す時点Ｅ）から所定時間Ｔｏ３（以下、所定時間Ｔｏ１，Ｔｏ２，Ｔｏ３を区別しないときには「所定時間Ｔｏ」ともいう）だけ冷却ファン３４の作動を継続させる冷却処理を実行した後に、冷却ファン３４の作動を停止させる。この場合、所定時間Ｔｏ３は、所定時間Ｔｏ２よりもやや短く規定されている。つまり、所定時間Ｔｏは徐々に短くなるように規定されている。次に、主制御部１７は、冷却ファン３４の作動停止の時点（同図に示す時点Ｆ）から所定の待機時間Ｔｗが経過した時点（同図に示す時点Ｇ）で判定処理を実行して、温度センサ３３によって検出された検出温度Ｔｄと基準温度Ｔｒとを比較する。この場合、ランプ３１がその内部まで十分に冷却されたときには、同図に示すように、時点Ｇにおいて検出温度Ｔｄが基準温度Ｔｒ以下となる。この際には、主制御部１７は、冷却ファン３４の作動を再開させることなく、ロック機構３９を制御して作業用扉１３ｂのロックを解除させる。また、主制御部１７は、インジケータ１６のＬＥＤ１６ｂを点灯させる。これにより、ランプ３１の温度が安全な温度として設定された基準温度Ｔｒ以下となったことがユーザに報知される。この場合、例えば、同図に示す時点Ｇにおいて検出温度Ｔｄが基準温度Ｔｒを超えているときには、主制御部１７は、上記した冷却処理および判定処理を、検出温度Ｔｄが基準温度Ｔｒ以下となるまで繰り返して実行する。
【００２８】
次いで、ロックが解除された作業用扉１３ｂを開放してランプ３１を交換する。この場合、上記したように、ランプ３１がその内部まで十分に冷却されているため、ランプ３１の表面が再び高温となって火傷等のトラブルが発生する事態が確実に防止される。
【００２９】
このように、このプロジェクタ１３およびテレビ１によれば、ランプ３１がランプ切れした際に、冷却ファン３４を所定時間Ｔｏだけ作動させる冷却処理と、冷却処理の実行後において待機時間Ｔｗが経過した時点で検出温度Ｔｄが基準温度Ｔｒを超えているときに冷却処理を再度実行し超えていないときに冷却処理の実行を停止する判定処理とを検出温度Ｔｄが基準温度Ｔｒ以下となるまで繰り返して実行することにより、ランプの内部が高温の状態であるにも拘わらず表面の温度だけが低下したときにランプの冷却を停止する従来のランプ安全装置とは異なり、内部の温度が低下するまでランプ３１を確実に冷却することができる。したがって、ランプ３１の内部の熱が伝導して表面が再び高温となることに起因するランプ３１の交換時における火傷等のトラブルを確実に防止することができる。
【００３０】
また、再度実行する冷却処理における所定時間Ｔｏを徐々に短縮させることにより、検出温度Ｔｄが基準温度Ｔｒ以下となるまでに要する冷却時間を短縮することができる。また、検出温度Ｔｄが基準温度Ｔｒ以下となったときにＬＥＤ１６ｂを点灯させてその旨を報知することにより、検出温度Ｔｄが基準温度Ｔｒとなってランプ３１の安全な交換が可能となった旨をユーザに確実に認識させることができる。
【００３１】
さらに、検出温度Ｔｄが基準温度Ｔｒを超えているときにロック機構３９を制御して作業用扉１３ｂをロックさせると共に、検出温度Ｔｄが基準温度Ｔｒ以下のときにロック機構３９を制御して作業用扉１３ｂのロックを解除させることにより、ユーザが高温状態のランプ３１に接触する事態を確実に防止できるため、交換時における安全性を十分に確保することができる。
【００３２】
なお、本発明は、上記の構成に限定されない。例えば、テレビ１にプロジェクタ１３を組み込んだ例について上記したが、プロジェクタ１３の冷却ファン制御部３５に上記した冷却処理および判定処理と同様の処理を実行させることで、単体のプロジェクタ１３に本発明を適用することができる。また、冷却処理を繰り返して実行する際の所定時間Ｔｏの長さを徐々に短く規定した例について上記したが、所定時間Ｔｏの長さを一定に規定しても良いし、徐々に長く規定しても良い。また、インジケータ１６のＬＥＤ１６ｂを点灯させることで、検出温度Ｔｄが基準温度Ｔｒ以下となった旨を報知する例について上記したが、この旨を報知する方法としては、ＬＥＤ１６ｂを用いる方法に限定されず、例えば、音を用いる方法を採用することもできる。さらに、ランプ３１がランプ切れしたときに出力される検出信号Ｓｄに従って主制御部１７が冷却処理および判定処理を実行する例について上記したが、これに限らない。例えば、リモコン３のランプ交換スイッチ５３が操作されたときに操作信号Ｓｏ（本発明における所定の指示）に従って主制御部１７が冷却処理および判定処理を実行する構成を採用することもできる。また、ランプ３１の積算点灯時間が所定の時間に達したときに所定の制御信号を出力する信号出力部を設けて、その制御信号に従ってランプ交換の時期となったことを報知する構成や、その制御信号（本発明における所定の指示）に従って主制御部１７が冷却処理および判定処理を実行する構成を採用することもできる。
【図面の簡単な説明】
【００３３】
【図１】テレビ１の構成を示すブロック図である。
【図２】テレビ１の外観斜視図である。
【図３】テレビ１の側面断面図である。
【図４】検出温度Ｔｄの時間的変化を示す遷移図である。
【符号の説明】
【００３４】
１  テレビ、１３  プロジェクタ、１３ｂ  作業用扉、１６ｂ  ＬＥＤ、１７  主制御部、３１  ランプ、３３  温度センサ、３４  冷却ファン、３５  冷却ファン制御部、３９  ロック機構、Ｔｏ１〜Ｔｏ３  所定時間、Ｔｗ  待機時間、Ｓｄ  検出信号、Ｔｄ  検出温度、Ｔｒ  基準温度
【図１】
2006145579.tif 000003
【図２】
2006145579.tif 000004
【図３】
2006145579.tif 000005
【図４】
2006145579.tif 000006